(57)【要約】【課題】演出性の向上を図ることができる照明器具を提供する。【解決手段】  照明器具１０は、演出灯ボタン２４が、押下されるたびに、演出灯の光色を自動で変化させる自動変化モードと、演出灯の光色を固定な光色固定モードと、を順番に切換え、調整ボタン２５が、自動変化モードである時に周期を調整可能であり、光色固定モードである時に演出灯の明るさを調整可能であり、それぞれのモードで設定した内容を記憶する。【選択図】図２
2010277896.tif 000002
【特許請求の範囲】
【請求項１】
演出灯を有する照明器具であって、
前記演出灯の点灯を制御する演出灯ボタンと、
前記演出灯の明るさ及び前記演出灯の変化周期を調整する調整ボタンと、を有し、
前記演出灯ボタンは、押下されるたびに、前記演出灯の光色を自動で変化させる自動変化モードと、前記演出灯の光色を固定な光色固定モードと、を順番に切換え、
前記調整ボタンは、前記自動変化モードである時に周期を調整可能であり、光色固定モードである時に前記演出灯の明るさを調整可能であり、
それぞれの前記モードで設定した内容を記憶することを特徴とする照明器具。
【請求項２】
演出灯を有する照明器具であって、
前記演出灯の点灯を制御する演出灯ボタンと、
前記演出灯の明るさ及び前記演出灯の変化周期を調整する調整ボタンと、を有し、
前記演出灯ボタンは、押下されるたびに、前記演出灯の光色を自動で変化させる自動変化モードと、前記演出灯の光色を固定な光色固定モードと、を順番に切換え、
前記調整ボタンは、調光を制御可能であって、前記自動変化モードである時に周期を調整可能であり、光色固定モードである時に前記演出灯の明るさを調整可能であり、
それぞれの前記モードで設定した内容を記憶することを特徴とする照明器具。
【請求項３】
演出灯を有する照明器具であって、
前記演出灯の点灯を制御する演出灯ボタンと、
前記演出灯の明るさ及び前記演出灯の変化周期を調整する調整ボタンと、を有し、
前記演出灯ボタンは、押下されるたびに、前記演出灯の光色を自動で変化させる自動変化モードと、前記演出灯の光色を選択可能な光色選択モードと、前記演出灯の明るさを選択可能な明るさ調整モードと、を順番に切換え、
前記調整ボタンは、調光を制御可能であって、前記自動変化モードである時に周期を調整可能であり、前記光色選択モードである時に前記演出灯の光色を調整可能であり、前記明るさ調整モードである時に前記演出灯の明るさを調整可能であり、
それぞれの前記モードで設定した内容を記憶することを特徴とする照明器具。
【発明の詳細な説明】
【技術分野】
【０００１】
本発明は、例えば住宅等の天井面に取り付けられる照明器具に関し、特にＬＥＤ光源の演出灯を有する照明器具に関する。
【背景技術】
【０００２】
本発明者らは、リモコン装置のアップスイッチを操作することにより蛍光灯の光出力を増加させ、リモコン装置のダウンスイッチを操作することにより蛍光灯の光出力を減少させるようにして調光を行う照明器具を既に提案している（例えば、特許文献１参照）。
【先行技術文献】
【特許文献】
【０００３】
【特許文献１】特開２００２−０７５６６７公報（図１、請求項１）
【発明の概要】
【発明が解決しようとする課題】
【０００４】
ところが、上記特許文献１に開示された従来の照明器具では、蛍光灯による調光を行っている。
従って、複数の光色を用いた演出を行うことができず、演出性の向上を図ることができない。
【０００５】
本発明は、前述した課題を解決するためになされたものであり、その目的は、演出性の向上を図ることができる照明器具を提供することにある。
【課題を解決するための手段】
【０００６】
本発明に係る照明器具は、演出灯を有する照明器具であって、前記演出灯の点灯を制御する演出灯ボタンと、前記演出灯の明るさ及び前記演出灯の変化周期を調整する調整ボタンと、を有し、前記演出灯ボタンは、押下されるたびに、前記演出灯の光色を自動で変化させる自動変化モードと、前記演出灯の光色を固定な光色固定モードと、を順番に切換え、前記調整ボタンは、前記自動変化モードである時に周期を調整可能であり、光色固定モードである時に前記演出灯の明るさを調整可能であり、それぞれの前記モードで設定した内容を記憶することを特徴とする。
【０００７】
本発明においては、調整ボタンは、自動変化モードである時に周期を調整可能であり、光色固定モードである時に演出灯の明るさを調整可能である。そして、それぞれのモードで設定した内容が記憶される。
これにより、従来のもののような蛍光灯による調光を行わず、複数の光色を用いた演出を行うことができる。
従って、演出性の向上を図ることができる。
【０００８】
本発明に係る照明器具は、演出灯を有する照明器具であって、前記演出灯の点灯を制御する演出灯ボタンと、前記演出灯の明るさ及び前記演出灯の変化周期を調整する調整ボタンと、を有し、前記演出灯ボタンは、押下されるたびに、前記演出灯の光色を自動で変化させる自動変化モードと、前記演出灯の光色を固定な光色固定モードと、を順番に切換え、前記調整ボタンは、調光を制御可能であって、前記自動変化モードである時に周期を調整可能であり、光色固定モードである時に前記演出灯の明るさを調整可能であり、それぞれの前記モードで設定した内容を記憶することを特徴とする。
【０００９】
本発明においては、調整ボタンは、自動変化モードである時に周期を調整可能であって、光色固定モードである時に演出灯の明るさを調整可能であり、調光を制御可能である。そして、それぞれのモードで設定した内容が記憶される。
これにより、従来のもののような蛍光灯による調光を行わず、複数の光色を用いた演出を行うことができ、調整ボタンを調光ボタンとして代用することによりリモコン装置の操作用インターフェースを変更する必要がない。
従って、コスト面で有利に演出性の向上を図ることができる。
【００１０】
本発明に係る照明器具は、演出灯を有する照明器具であって、前記演出灯の点灯を制御する演出灯ボタンと、前記演出灯の明るさ及び前記演出灯の変化周期を調整する調整ボタンと、を有し、前記演出灯ボタンは、押下されるたびに、前記演出灯の光色を自動で変化させる自動変化モードと、前記演出灯の光色を選択可能な光色選択モードと、前記演出灯の明るさを選択可能な明るさ調整モードと、を順番に切換え、前記調整ボタンは、調光を制御可能であって、前記自動変化モードである時に周期を調整可能であり、前記光色選択モードである時に前記演出灯の光色を調整可能であり、前記明るさ調整モードである時に前記演出灯の明るさを調整可能であり、それぞれの前記モードで設定した内容を記憶することを特徴とする。
【００１１】
本発明においては、調整ボタンは、自動変化モードである時に周期を調整可能であり、光色選択モードである時に演出灯の光色を調整可能であり、明るさ調整モードである時に演出灯の明るさを調整可能であり、調光を制御可能である。そして、それぞれのモードで設定した内容が記憶される。
これにより、従来のもののような蛍光灯による調光を行わず、複数の光色を用いた演出を行うことができ、調整ボタンを調光ボタンとして代用することによりリモコン装置の操作用インターフェースを変更する必要がない。
従って、コスト面で有利に演出性の向上を図ることができる。
【発明の効果】
【００１２】
本発明の照明器具によれば、演出灯ボタンは、押下されるたびに、演出灯の光色を自動で変化させる自動変化モードと、演出灯の光色を固定な光色固定モードと、を順番に切換え、調整ボタンは、自動変化モードである時に周期を調整可能であり、光色固定モードである時に演出灯の明るさを調整可能であり、それぞれのモードで設定した内容を記憶する。
これにより、演出性の向上を図ることができるという効果を有する。
【図面の簡単な説明】
【００１３】
【図１】本発明に係る一実施形態の照明器具の分解斜視図
【図２】図１に示した照明器具の垂直断面図
【図３】図１に示した照明器具に適用されるリモコン装置の平面図
【図４】図１に示した照明器具の第１パターンの制御曲線図
【図５】図１に示した照明器具の第２パターンの制御曲線図
【図６】図１に示した照明器具の制御動作を説明する前半のフローチャート
【図７】図１に示した照明器具の色自動変化モードのフローチャート
【図８】図１に示した照明器具の光色選択モードのフローチャート
【図９】図１に示した照明器具の明るさ選択モードのフローチャート
【発明を実施するための形態】
【００１４】
以下、本発明の一実施形態に係る照明器具について、図面を参照して説明する。
【００１５】
本発明の一実施形態である照明器具１０は、器具本体１１と、器具本体１１に保持されている主光源である環状の蛍光灯１２と、ＬＥＤ光源の演出灯である複数の発光部１３と、リモコン信号受光部を含む点灯制御部１４と、リモコン装置１５と、セード１６とを備えて天井面１に直接取り付けられる。
【００１６】
図１、図２に示すように、器具本体１１は、金属製で円板形状に形成されている。器具本体１１は天井面１に設けられた不図示の引っ掛けシーリングを介して天井面１に固定されている。器具本体１１は天井面１に対向する床面側に蛍光灯１２を保持している。
【００１７】
器具本体１１は、天井面１側に円環形状の透光性のある上枠１７を有し、床面側に同じく円環形状で透光性の無い下枠１８を有する。
【００１８】
発光部１３は、ＬＥＤ光源１９を実装したＬＥＤ基板２０と、ＬＥＤ光源１９からの発光を光学的に変換するための光学部材２１と、ＬＥＤ基板２０および光学部材２１を一体的に組み付けるベース部材２２とから構成されている。発光部１３は器具本体１１の外縁部において上枠１７と下枠１８との間に複数配置されている。
【００１９】
発光部１３は、RedＬＥＤとGreenＬＥＤとBlueＬＥＤであるRGBＬＥＤであり、それぞれは調光比を０％から１００％までそれぞれ変更されて給電されることにより、青色、水色、緑色、黄色、橙色、赤色、紫色の７色による混色光と、青色、青水色、水色、水緑色、緑色、緑黄色、黄色、黄橙色、橙色、橙赤色、赤色、赤紫色、紫色、紫青色の１４色による混色光と、を発光する。
【００２０】
点灯制御部１４は、器具本体１１の中央部に取り付けられている。点灯制御部１４は、外部から不図示の外部配線が引き込まれており、蛍光灯１２および発光部１３に給電を行う。点灯制御部１４は、リモコン装置１５からのリモコン信号を受光するための不図示のリモコン信号受光部を床面に向けて装備している。
【００２１】
図３に示すように、リモコン装置１５は、全灯ボタン２３と、演出灯ボタンである豆球ボタン２４と、調整ボタンである明暗ボタン２５と、消灯ボタン２６とを備える。
【００２２】
次に、照明器具１０の制御動作について説明する。
【００２３】
点灯制御部１４は、全灯ボタン２３が押下されてから、明暗ボタン２５の明ボタン２７または暗ボタン２８が押下され、最後に全灯ボタン２３が再度押下されることにより、明ボタン２７または暗ボタン２８の位置に応じた明るさで蛍光灯１２を点灯させる。
【００２４】
点灯制御部１４は、豆球ボタン２４が、１回、２回、３回と押下されるたびに、発光部１３の光色を自動で変化させる自動変化モードと、発光部１３の光色を選択可能な光色選択モード（光色固定モード）と、発光部１３の明るさを選択可能な明るさ調整モードと、を順番に切換える。
【００２５】
点灯制御部１４は、豆球ボタン２４により自動変化モードに切換えられている時に自動変化の循環周期を調整可能であり、豆球ボタン２４により光色選択モードに切換えられている時に発光部１３の光色を調整可能である。そして、点灯制御部１４は、明るさ調整モードに切換えられている時に発光部１３の明るさを調整可能である。つまり、点灯制御部１４は、発光部１３の調光を制御可能であり、それぞれのモードで設定した内容を記憶する。
【００２６】
図４に示すように、点灯制御部１４は、明暗ボタン２５により切換えられている自動変化モードの循環周期が、周期ｔ２＞周期ｔ１であって、例えば３〜５秒の短い値に変更されると第１パターン（７色切り替えパターン）を実行する。
【００２７】
第１パターンとは、調光比０％のRedＬＥＤ、調光比０％のGreenＬＥＤ、調光比１００％のBlueＬＥＤにより混色された青点と、調光比０％のRedＬＥＤ、調光比１００％のGreenＬＥＤ、調光比１００％のBlueＬＥＤにより混色された水点と、調光比０％のRedＬＥＤ、調光比１００％のGreenＬＥＤ、調光比０％のBlueＬＥＤにより混色された緑点と、調光比１００％のRedＬＥＤ、調光比１００％のGreenＬＥＤ、調光比０％のBlueＬＥＤにより混色された黄点と、調光比１００％のRedＬＥＤ、調光比２０％のGreenＬＥＤ、調光比０％のBlueＬＥＤにより混色された橙点と、調光比１００％のRedＬＥＤ、調光比０％のGreenＬＥＤ、調光比０％のBlueＬＥＤにより混色された赤点と、調光比１００％のRedＬＥＤ、調光比０％のGreenＬＥＤ、調光比１００％のBlueＬＥＤにより混色された紫点と、の７固定色を所定の循環スピードＳ内において実行することである。
【００２８】
図５に示すように、点灯制御部１４は、明暗ボタン２５により切換えられている自動変化モードの循環周期が、周期ｔ２＞周期ｔ１であって、例えば１０秒以上の長い値に変更されると第２パターン（グラデーション切り替えパターン）を実行する。
【００２９】
第２パターンとは、調光比０％のRedＬＥＤ、調光比０％のGreenＬＥＤ、調光比１００％のBlueＬＥＤにより混色された青点と、調光比０％のRedＬＥＤ、調光比１００％のGreenＬＥＤ、調光比１００％のBlueＬＥＤにより混色された水点と、調光比０％のRedＬＥＤ、調光比１００％のGreenＬＥＤ、調光比０％のBlueＬＥＤにより混色された緑点と、調光比１００％のRedＬＥＤ、調光比１００％のGreenＬＥＤ、調光比０％のBlueＬＥＤにより混色された黄点と、調光比１００％のRedＬＥＤ、調光比２０％のGreenＬＥＤ、調光比０％のBlueＬＥＤにより混色された橙点と、調光比１００％のRedＬＥＤ、調光比０％のGreenＬＥＤ、調光比０％のBlueＬＥＤにより混色された赤点と、調光比１００％のRedＬＥＤ、調光比０％のGreenＬＥＤ、調光比１００％のBlueＬＥＤにより混色された紫点と、の７固定色を所定の循環スピードＳ内において実行することである。
【００３０】
次に、照明器具１０の制御動作のうちの発光部１３の動作について説明する。
【００３１】
図６に示すように、豆球ボタン２４が１回、２回、３回と連続的に押下される際に、１回押下されることにより、発光部１３の光色を自動で変化させる自動変化モードが設定される（Ｓ１０１→Ｓ１０２→Ｓ１０３）。
【００３２】
豆球ボタン２４が２回押下されることにより、発光部１３の光色を選択可能な光色選択モードが設定される（Ｓ１０１→Ｓ１０４→Ｓ１０５）。
【００３３】
豆球ボタン２４が３回押下されることにより、発光部１３の明るさを選択可能な明るさ調整モードが設定される（Ｓ１０１→Ｓ１０６→Ｓ１０７）。
【００３４】
豆球ボタン２４の回数カウントは連続的な押下の後にリセットされる（Ｓ１０１→Ｓ１０２→Ｓ１０４→Ｓ１０６→Ｓ１０８）。
【００３５】
図７に示すように、発光部１３の光色を自動で変化させる自動変化モードに切換えられている時に、明暗ボタン２５の明ボタン２７また暗ボタン２８が押下される。このとき、明暗ボタン２５は循環周期を４段階に設定可能であり、明暗ボタン２５により自動変化の循環周期が３〜５秒に設定されると、第１パターン（図４参照）が実行される（Ｓ１０９→Ｓ１１０→Ｓ１１１）。
【００３６】
そして、第１パターンの実行後に、いずれかのボタンが押下されることにより、自動変化モードでの第１パターンが記憶される（Ｓ１１１→Ｓ１１２）。
【００３７】
発光部１３の光色を自動で変化させる自動変化モードに切換えられている時に、明暗ボタン２５の明ボタン２７また暗ボタン２８が押下される。明暗ボタン２５により自動変化の循環周期が１０秒以上に設定されると、第２パターン（図５参照）が実行される（Ｓ１０９→Ｓ１１０→Ｓ１１３→Ｓ１１４）。
【００３８】
そして、第２パターンの実行後に、いずれかのボタンが押下されることにより、自動変化モードでの第２パターンが記憶される（Ｓ１１４→Ｓ１１２）。
【００３９】
図８に示すように、発光部１３の光色を選択可能な光色選択モードに切換えられている時に、明暗ボタン２５の明ボタン２７また暗ボタン２８が押下される。明暗ボタン２５により光色が設定されると、設定された光色を発光させる（Ｓ１１５）。
【００４０】
そして、選択された光色による発光の実行後に、いずれかのボタンが押下されることにより、その光色による発光が記憶される（Ｓ１１５→Ｓ１１６）。
【００４１】
図９に示すように、発光部１３の明るさを選択可能な明るさ調整モードに切換えられている時に、明暗ボタン２５の明ボタン２７また暗ボタン２８が押下される。このとき、明暗ボタン２５は明るさを６段階に設定可能である。明るさの６段階とは、レベル１が１６％、レベル２が３３％、レベル３が５０％、レベル４が６６％、レベル５が８３％、レベル６が１００％である。明暗ボタン２５により６段階の光色のいずれかが設定されると、設定された明るさで発光させる（Ｓ１１７）。
【００４２】
そして、設定された明るさによる発光の実行後に、いずれかのボタンが押下されることにより、その明るさによる発光が記憶される（Ｓ１１７→Ｓ１１８）。
【００４３】
このように、豆球ボタン２４は、複数回押下されるたびに、各モードを順番に切換え、明暗ボタン２５が調光ボタンを代用することができる。
【００４４】
以上説明したように、本発明の一実施形態の照明器具１０では、明暗ボタン２５は、自動変化モードである時に循環周期を調整可能であり、光色固定モードである時に発光部１３の明るさを調整可能である。そして、それぞれのモードで設定した内容が記憶される。
これにより、従来のもののような蛍光灯による調光を行わず、複数の光色を用いた演出を行うことができる。
従って、演出性の向上を図ることができる。
【００４５】
本発明の一実施形態の照明器具１０では、明暗ボタン２５は、自動変化モードである時に循環周期を調整可能であって、光色固定モードである時に発光部１３の明るさを調整可能であり、調光を制御可能である。そして、それぞれのモードで設定した内容が記憶される。
これにより、従来のもののような蛍光灯による調光を行わず、複数の光色を用いた演出を行うことができ、明暗ボタン２５を調光ボタンとして代用することによりリモコン装置１５の操作用インターフェースを変更する必要がない。
従って、コスト面で有利に演出性の向上を図ることができる。
【００４６】
本発明の一実施形態の照明器具１０では、明暗ボタン２５は、自動変化モードである時に循環周期を調整可能であり、光色選択モードである時に発光部１３の光色を調整可能であり、明るさ調整モードである時に発光部１３の明るさを調整可能であり、調光を制御可能である。そして、それぞれのモードで設定した内容が記憶される。
これにより、従来のもののような蛍光灯による調光を行わず、複数の光色を用いた演出を行うことができ、明暗ボタン２５を調光ボタンとして代用することによりリモコン装置１５の操作用インターフェースを変更する必要がない。
従って、コスト面で有利に演出性の向上を図ることができる。
【００４７】
本発明の一実施形態の照明器具１０では、明暗ボタン２５により自動変化モードの周期が変更された際に、光色の変化パターンを切り替える。
これにより、光色の変化パターンに変化が加えられる。
従って、楽しい雰囲気の演出と落ち着いた雰囲気の演出とを行うことにより、演出バリエーションを増やすことができる。
【００４８】
本発明の一実施形態の照明器具１０では、明暗ボタン２５により自動変化モードの周期が短い値に変更された際に、光色の変化パターンを第１パターンに切り替え、調整ボタンにより自動変化モードの周期が長い値に変更された際に、光色の変化パターンを第２パターンに切り替える。
これにより、自動変化モードの周期時間の値に応じて第１パターンと第２パターンとに変化される。
従って、周期が短時間の際に楽しい雰囲気の演出を行い、周期が長時間の際に落ち着いた雰囲気の演出を行うことにより、演出バリエーションを増やすことができる。
【００４９】
本発明の一実施形態の照明器具１０では、人がエンターテインメント感またはリラクゼーション感を感じる変化パターンを調べた結果に基づいて、変化パターンを設定するための自動変化モードの周期に決定した。
従って、楽しい雰囲気の演出および落ち着いた雰囲気の演出を人の感性に合わせることができる。
【００５０】
本発明の一実施形態の照明器具１０では、自動変化モードで周期が変更された際の光色の変化パターンと、光色固定モードで演出灯の明るさを調整とをＬＥＤ光源１９により簡単に行うことができる。
従って、複雑な制御回路を必要とせずに、コスト面で有利に構成することができる。
【実施例】
【００５１】
以下、本発明に係る照明器具の作用効果を確認するために行った実施例について説明する。
【００５２】
（評価試験）
人が演出性のうちのエンターテインメント感またはリラクゼーション感を感じる照明とはどのようなものであろうか。これを検討するために、「複数種の光色循環パターンを用いて、どのような時にエンターテインメント感またはリラクゼーション感を感じるか」を尋ねるアンケート調査を、不特定多数を対象に行った。得られた回答の集計を表１に示す。
【００５３】
【表１】
2010277896.tif 000003
【００５４】
表１により明らかなように、点滅周期が３秒〜５秒の時にエンターテインメント感を感じると答えた回答者が８０％から９０％いた。これとは異なり、点滅周期が１０秒以上の時にリラクゼーション感を感じると答えた回答者が８０％から９０％いた。
【００５５】
この結果からわかるように、本発明の照明器具１０により、明暗ボタン２５の選択している自動変化モードの周期が例えば３〜５秒の短い値に変更された際に第１パターンを実行することにより、使用者にエンターテインメント感を付与することができる。
【００５６】
また、明暗ボタン２５の選択している自動変化モードの周期が例えば１０秒以上の長い値に変更された際に第２パターンを実行することにより、使用者にリラクゼーション感を付与することができる。
【００５７】
なお、前記実施形態で使用した器具本体１１、蛍光灯１２等は例示したものに限定するものではなく適宜変更が可能である。
【符号の説明】
【００５８】
１０  照明器具
１３  発光部（演出灯）
２４  豆球ボタン（演出灯ボタン）
２５  明暗ボタン（調整ボタン）
【図１】
2010277896.tif 000004
【図２】
2010277896.tif 000005
【図３】
2010277896.tif 000006
【図４】
2010277896.tif 000007
【図５】
2010277896.tif 000008
【図６】
2010277896.tif 000009
【図７】
2010277896.tif 000010
【図８】
2010277896.tif 000011
【図９】
2010277896.tif 000012